(57)【要約】      （修正有）【課題】便利に吊り下げ式照明器具との接合及び分離取り外しの動作を行えるプッシュ式引掛シーリングローゼットを提供する。【解決手段】上蓋１０、ナット１０１、底座１１、ボルト１１１、ビス１１２、引掛部材１２、ビス１２１、嵌合装置１３、弾性部材１３１、プッシュ装置１４、解除ボタン１５、ロック嵌合部１６及び弾性部材１６１で構成される。嵌合装置１３は二つあり、各嵌合装置の外部には上層嵌着面１３７と下層嵌着面１３８が形成され、その底面にそれぞれガイド斜面１３７１と１３８１が形成される。上蓋と底座が組み合わされ、上蓋の挿入スロット１０３と底座の挿入スロット１１３が嵌合装置を被包し、上蓋の収納スロット１０４と底座の収納スロットが解除ボタン１５を被包し、同時に嵌合装置の位置制限溝１３６が上蓋のＨ形プッシュブロックに嵌合し、嵌合装置の進退移動方向と行程が制限される。【選択図】図３
0003186810.tif 000002
【実用新案登録請求の範囲】
【請求項１】
プッシュ式引掛シーリングローゼットにおいて、
上蓋であって、底部中央に下向きに、軸方向に延伸され且つ二側に向いたストッパ板が設けられ、その外側面に定位突出エッジが設けられ、前記上蓋周縁に二カ所の挿入スロット及び一カ所の収納スロットが設けられ、内部に二カ所の螺着孔が設けられ、上面には二カ所に方形の穿孔と一カ所の螺着孔が設けられ、内部のストッパ板と対応する挿入スロットの間にＨ形プッシュブロックが設けられ、その中間の横棒は高く突出する位置制限ブロックとされる、上記上蓋と、
底座であって、組み立て時に該上蓋と組み合わされ、二カ所に上蓋の挿入スロットに対応し並んで設置される挿入スロットが設けられ、一カ所に該上蓋の収納スロットに対応する収納スロットが設けられ、内部底面中央に大穿孔が設けられ、外部の該大穿孔の二側それぞれに位置制限凸棒が設けられる、上記底座と、
引掛部材であって、二つ設けられ、一端に穿孔があり、ビスにより上蓋内部の螺着孔に螺着するのに供され、他端は湾曲鉤部とされ、上向きに該上蓋の穿孔より突出する、上記引掛部材と、
嵌合装置であって、二つ設けられ、該嵌合装置の内側に内腔を具え、内部壁体に定位突出エッジが成形され、二側外壁に、斜めに外向きに拡張する被押圧壁が形成され及び前端外壁はストッパブロックとされ、上部は位置制限溝とされ、該嵌合装置の外部に少なくとも一つの嵌着面と一つのガイド斜面が形成され、組み立て時には、該嵌合装置は該上蓋と底座の結合された挿入スロット内に置かれ、且つ該位置制限溝は該上蓋の位置制限ブロックを収容する、上記嵌合装置と、
弾性部材であって、数量が二つとされ、該嵌合装置と対応して組み合わされ、組み合わせ時には、一端が該上蓋内のストッパ板の定位突出エッジに当接するよう嵌合され、他端は対応する嵌合装置内の内腔の定位突出エッジに当接する、上記弾性部材と、
プッシュ装置であって、外プッシュブロック、中間作動ブロック、内定位ブロック及び接合部材で構成され、該外プッシュブロックの外部には隆起する被押圧斜壁が設けられ、底部に下向きに接合ロッドが設けられ、該中間作動ブロックは面状体とされ、一端が外向きに拡張され並びに二側に斜めの駆動壁が設けられ、他端に双円弧状穿孔が設けられ、該双円弧状穿孔は釈放位置穿孔、内向きに突出する定位凸塊及びロック位置穿孔に区分され、該内定位ブロックは接合孔を具え、二側それぞれに位置制限凸棒が凸設され、さらに外向きに突出し、並びに反対方向にそれぞれストッパブロックが形成され、組み立て時には、該外プッシュブロックは該底座の大穿孔外部に当接被覆し、並びに二つの位置制限凸棒間に停留し、これにより、該被押圧斜壁が該底座の外側に停留し、且つ接合ロッドが下向きに該大穿孔に進入し、該中間作動ブロック及び該内定位ブロックは順に該底座内部に置かれ、該接合ロッドが順に該中間作動ブロックの挿入孔と該内定位ブロックの接合孔に通され、且つ該中間作動ブロックのロッド体部分は該内定位ブロックの二側の位置制限凸棒間に介在し、さらに該接合部材により該接合ロッドと螺着される。該上蓋と該底座が結合される時、該プッシュ装置の中間作動ブロックの外向きに拡張された二側の駆動壁が各嵌合装置のそのうち一つの被押圧壁と対応し当接被覆し、且つ駆動壁がその対応し当接する被押圧壁外部に位置する、上記プッシュ装置と、
を包含することを特徴とする、プッシュ式引掛シーリングローゼット。
【請求項２】
請求項１記載のプッシュ式引掛シーリングローゼットにおいて、該嵌合装置の嵌着面は上層嵌着面、上層ガイド斜面、下層嵌着面、下層ガイド斜面を備えた二層式とすることを特徴とする、プッシュ式引掛シーリングローゼット。
【請求項３】
請求項１記載のプッシュ式引掛シーリングローゼットにおいて、該嵌合装置の嵌着面はただ嵌着面及びガイド斜面を備えた一層式とすることを特徴とする、プッシュ式引掛シーリングローゼット。
【請求項４】
請求項１記載のプッシュ式引掛シーリングローゼットにおいて、さらに解除ボタンとロック装置を含む、該解除ボタンは、外部が押圧面とされ、内部に斜面を有し、組み立て時には、該上蓋の収納スロット内の外側寄りの位置に置かれ、押圧面が収納スロットの外面に停留させられ、上記ロック装置は、解除ボタンの斜面に対応し当接する斜面と、上向きに突出するロック棒を具え、底面に、内向きに進入する収容孔を具え、弾性部材の収容に供され、組み立て時には、上蓋の収容孔内の比較的内側の位置に置かれ、斜面が解除ボタンの斜面に対応し当接させられ、及びロック棒は上蓋のロック棒孔に対応し、上蓋と底座が組み合わされる時、該弾性部材の底端が底座内壁の押し上げを受け、強制的に全体のロック装置を上向きに移動するよう付勢し、ロック棒が上向きに上蓋のロック棒孔外に突出させられ、該解除ボタンの押圧面が押されると、強制的に該解除ボタンが該収容孔に沿って内向きに移動し、該解除ボタンの斜面が分力で該ロック装置の斜面を押動し、該ロック装置を駆動して該弾性部材を圧縮して下降させ、該ロック棒を上蓋のロック棒孔内に縮入させることを特徴とする、プッシュ式引掛シーリングローゼット。
【考案の詳細な説明】
【技術分野】
【０００１】
本考案は、引掛シーリングローゼットに係り、特にプッシュ式引掛シーリングローゼットに関する。
【背景技術】
【０００２】
引掛シーリングローゼットは高所の固定位置（例えば天井）に取り付けるもので、尚且つ電源に電気的に接続し、さらに引掛式電気製品（最もよく見られるものに吊り下げ式照明器具がある）を組み合わせて連結し電気的に接続して使用する。よって、引掛シーリングローゼットは使用上において、高所の固定位置に取り付け、吊り下げ式照明器具に接合する二つの組立工程を含む。本出願人はすでに、特許文献１の「プッシュ式引掛シーリングローゼット」及び特許文献２の「回転式引掛シーリングローゼット」の２件の実用新案登録を受けている。
【先行技術文献】
【特許文献】
【０００３】
【特許文献１】実用新案登録第３１７３８８５号明細書
【特許文献２】実用新案登録第３１７４４４８号明細書
【考案の概要】
【考案が解決しようとする課題】
【０００４】
本考案は引掛シーリングローゼットの異なる構造及び操作性の必要に対して深く研究、改良を行ない、一種の、操作により便利である引掛シーリングローゼットを提供するためになされた。
【０００５】
ゆえに、本考案の主要な目的は、操作に極めて便利なプッシュ式引掛シーリングローゼットを提供することにある。
【課題を解決するための手段】
【０００６】
上述目的を達成するために、本考案はプッシュ式引掛シーリングローゼットを設計し、その構成には、上蓋、底座、引掛部材、嵌合装置、弾性部材、プッシュ装置を含む。
前記上蓋の底部中央に下向きに、軸方向に延伸され且つ二側に向いたストッパ板が設けられ、その外側面に定位突出エッジが設けられ、前記上蓋周縁に二カ所の挿入スロット及び一カ所の収納スロットが設けられ、内部に二カ所の螺着孔が設けられ、上面には二カ所に方形の穿孔と一カ所の螺着孔が設けられ、内部のストッパ板と対応する挿入スロットの間にＨ形プッシュブロックが設けられ、その中間の横棒は高く突出する位置制限ブロックとされる。
前記底座は、組み立て時に該上蓋と組み合わされ、二カ所に上蓋の挿入スロットに対応し並んで設置される挿入スロットが設けられ、一カ所に該上蓋の収納スロットに対応する収納スロットが設けられ、内部底面中央に大穿孔が設けられ、外部の該大穿孔の二側それぞれに位置制限凸棒が設けられる。
前記引掛部材は二つ設けられ、一端に穿孔があり、ビスにより上蓋内部の螺着孔に螺着するのに供され、他端は湾曲鉤部とされ、上向きに該上蓋の穿孔より突出する。
前記嵌合装置は二つ設けられ、該嵌合装置の内側に内腔を具え、内部壁体に定位突出エッジが成形され、二側外壁に、斜めに外向きに拡張する被押圧壁が形成され及び前端外壁はストッパブロックとされ、上部は位置制限溝とされる。該嵌合装置の外部に少なくとも一つの嵌着面と一つのガイド斜面が形成されている。組み立て時には、該嵌合装置は該上蓋と底座の結合された挿入スロット内に置かれ、且つ該位置制限溝は該上蓋の位置制限ブロックを収容する。
前記弾性部材は数量が二つとされ、該嵌合装置と対応して組み合わされ、組み合わせ時には、一端が該上蓋内のストッパ板の定位突出エッジに当接するよう嵌合され、他端は対応する嵌合装置内の内腔の定位突出エッジに当接する。
及び前記プッシュ装置は、外プッシュブロック、中間作動ブロック、内定位ブロック及び接合部材で構成される。該外プッシュブロックの外部には隆起する被押圧斜壁が設けられ、底部に下向きに接合ロッドが設けられている。該中間作動ブロックは面状体とされ、一端が外向きに拡張され並びに二側に斜めの駆動壁が設けられ、他端に双円弧状穿孔が設けられ、該双円弧状穿孔は釈放位置穿孔、内向きに突出する定位凸塊及びロック位置穿孔に区分されている。該内定位ブロックは接合孔を具え、二側それぞれに位置制限凸棒が凸設され、さらに外向きに突出し、並びに反対方向にそれぞれストッパブロックが形成されている。組み立て時には、該外プッシュブロックは該底座の大穿孔外部に当接被覆し、並びに二つの位置制限凸棒間に停留し、これにより、該被押圧斜壁が該底座の外側に停留し、且つ接合ロッドが下向きに該大穿孔に進入し、該中間作動ブロック及び該内定位ブロックは順に該底座内部に置かれ、該接合ロッドが順に該中間作動ブロックの挿入孔と該内定位ブロックの接合孔に通され、且つ該中間作動ブロックのロッド体部分は該内定位ブロックの二側の位置制限凸棒間に介在し、さらに該接合部材により該接合ロッドと螺着される。該上蓋と該底座が結合される時、該プッシュ装置の中間作動ブロックの外向きに拡張された二側の駆動壁が各嵌合装置のそのうち一つの被押圧壁と対応し当接被覆し、且つ駆動壁がその対応し当接する被押圧壁外部に位置する。
【０００７】
上述のプッシュ式引掛シーリングローゼットにおいて、嵌合装置の嵌着面は上層嵌着面、上層ガイド斜面、下層嵌着面、下層ガイド斜面を備えた二層式とする。
【０００８】
上述のプッシュ式引掛シーリングローゼットにおいて、嵌合装置の嵌着面はただ嵌着面及びガイド斜面を備えた一層式とする。
【０００９】
上述のプッシュ式引掛シーリングローゼットにおいて、さらに解除ボタンとロック装置を含む。該解除ボタンは、外部が押圧面とされ、内部に斜面を有し、組み立て時には、該上蓋の収納スロット内の外側寄りの位置に置かれ、押圧面が収納スロットの外面に停留させられる。上記ロック装置は、解除ボタンの斜面に対応し当接する斜面と、上向きに突出するロック棒を具え、底面に、内向きに進入する収容孔を具え、弾性部材の収容に供され、組み立て時には、上蓋の収容孔内の比較的内側の位置に置かれ、斜面が解除ボタンの斜面に対応し当接させられ、及びロック棒は上蓋のロック棒孔に対応し、上蓋と底座が組み合わされる時、該弾性部材の底端が底座内壁の押し上げを受け、強制的に全体のロック装置を上向きに移動するよう付勢し、ロック棒が上向きに上蓋のロック棒孔外に突出させられる。該解除ボタンの押圧面が押されると、強制的に該解除ボタンが該収容孔に沿って内向きに移動し、該解除ボタンの斜面が分力で該ロック装置の斜面を押動し、該ロック装置を駆動して該弾性部材を圧縮して下降させ、該ロック棒を上蓋のロック棒孔内に縮入させる。
【考案の効果】
【００１０】
本考案は一種のプッシュ式引掛シーリングローゼットを提供し、それはプッシュ式引掛シーリングローゼット上の嵌合装置が非常に便利に吊り下げ式照明器具との接合及び分離取り外しの動作を行え、且つ使用上、安全性と安定性の心配がない。
【図面の簡単な説明】
【００１１】
【図１】本考案第１実施例の立体組立上面斜視図である。
【図２】本考案第１実施例の立体組立下面斜視図である。
【図３】本考案第１実施例の上面斜視立体分解図である。
【図４】本考案第１実施例の下面斜視立体分解図である。
【図５】本考案第１実施例の嵌合装置の断面図である。
【図６】本考案第１実施例の中間作動ブロックの上面図である。
【図７】本考案第１実施例の縦向き組立断面図である。
【図８】本考案第１実施例の横向き組立断面図である。
【図９】本考案第２実施例の上面斜視立体図である。
【図１０】本考案第２二実施例の下面斜視立体図である。
【考案を実施するための形態】
【００１２】
以下に本考案の技術内容、構造特徴、達成する目的及び作用効果について、以下に例を挙げ並びに図面を組み合わせて詳細に説明する。
【００１３】
図１〜図４を参照されたい。本考案の第１実施例は、一種のプッシュ式引掛シーリングローゼット１であり、特に一種の、２層接合型のプッシュ式引掛シーリングローゼット１であり、それは、上蓋１０、ナット１０１、底座１１、ボルト１１１、ビス１１２、引掛部材１２、ビス１２１、嵌合装置１３、弾性部材１３１、プッシュ装置１４、解除ボタン１５、ロック嵌合部１６及び弾性部材１６１で構成される。
【００１４】
そのうち、該上蓋１０の底部中央に、下向きに、軸方向に延伸され且つ二側に面するストッパ板１０２が設けられ、その外側面それぞれに、定位突出エッジ１０２１が形成されている（図７も参照されたい）。該上蓋１０の周縁の２カ所に挿入スロット１０３が、一カ所に収納スロット１０４（該スロットは内側に凹んだ形状にカット）が設置され、内部には二箇所に螺着孔１０５（図４に示される）が設け、上面の二箇所には方形の穿孔１０６と一箇所にロック棒孔１０７を貫設する。上蓋１０内部のストッパ板１０２と対応する挿入スロット１０３の間それぞれにＨ形プッシュブロック１０８が設けられ、その中間の横棒はより高く突出する位置制限ブロック１０９とされ、また該上蓋１０の周縁上の一カ所に定位突出ブロック１０１０が設置される。
【００１５】
該底座１１には２カ所の前述の挿入スロット１０３に対応する挿入スロット１１３と一カ所の前述の収納スロット１０４に対応する収納スロット１１４が設けられ、該底座１１の底面中央に、大穿孔１１５が設けられ、該底座１１の外部の該大穿孔１１５の二側それぞれに位置制限凸棒１１７が凸設され、周縁の一カ所に定位凹孔１１９（前述の定位突出ブロック１０１０に対応する）が設置される。
【００１６】
該引掛部材１２の数量は二つとされ、組み立て時には、ビス１２１がそれぞれ引掛部材１２の穿孔１２２に通され並びに上蓋１０内部の螺着孔１０５に螺着され、引掛部材１２の湾曲鉤部１２３が上向きに上蓋１０の穿孔１０６より突出する（図１に示される）。
【００１７】
該嵌合装置１３の数量は二つとされる。図５も参照されたい。各嵌合装置１３の内端は外向きに開放された内腔１３２を具え、内部壁体に定位突出エッジ１３２１が形成され、二側外壁に斜めに外向きに拡張された被押圧壁１３３が形成され、前端外壁にストッパブロック１３４が設けられる。該嵌合装置１３の上部には位置制限溝１３６（これは前述の位置制限ブロック１０９と対応する）が設けられる。各嵌合装置１３の外部には一組の２層の上層嵌着面１３７と下層嵌着面１３８が形成され、その底面にそれぞれ上層ガイド斜面１３７１と下層ガイド斜面１３８１が形成される。
【００１８】
該弾性部材１３１（たとえば棒状バネ）は、嵌合装置１３と対応しそれと組み合わされて使用し、ゆえに、弾性部材１３１の数量は嵌合装置１３と同じく二つとされる。図８も参照されたい。各弾性部材１３１は組み立て時に、一端が該上蓋１０内のストッパ板１０２の定位突出エッジ１０２１に当接させられて、該端が脱出不能とされ、続いて、二つの嵌合装置１３がそれぞれ対応する上蓋１０の挿入スロット１０３に内向きに押し込まれ、並びに該上蓋１０のＨ形プッシュブロック１０８の支持を受ける。このとき、各嵌合装置１３の位置制限溝１３６はちょうど各Ｈ形プッシュブロック１０８の中間の位置制限ブロック１０９に嵌合し、これにより各嵌合装置１３の進退移動方向及び行程は該位置制限ブロック１０９に制限される。続いて、各弾性部材１３１の他端が対応する嵌合装置１３内の内腔１３２内の定位突出エッジ１３２１に嵌合、当接させられ、各弾性部材１３１の二端がいずれもしっかりと嵌合、当接させられ、脱出不能な状態とされる。
【００１９】
図６〜図８を参照されたい。該プッシュ装置１４は、外プッシュブロック１４１、中間作動ブロック１４２、内定位ブロック１４３及び接合部材１４４で構成される。そのうち、該外プッシュブロック１４１の外部には隆起する被押圧斜壁１４１１が設けられ、底部に下向きに接合ロッド１４１２が設けられている。該中間作動ブロック１４２は図６に示されるように、Ｔ字形を呈する面状体とされ、一端が外向きに拡張され（Ｔ字上端）並びに二側に斜めの駆動壁１４２１が設けられ、他端（Ｔ字底端）に、棒体方向に沿って、二つの穿孔が併合され形成された双円弧状穿孔が設けられ、構造上、さらに釈放位置穿孔１４２２、内向きに突出する位置制限ブロック１４２３及びロック位置穿孔１４２４に区分されている。該内定位ブロック１４３は接合孔１４３１を具え、二側それぞれに位置制限凸棒１４３２が凸設され、さらに外向きに突出し、並びに反対方向に向けてそれぞれストッパブロック１４３３が形成されている。組み立て時には、該外プッシュブロック１４１は該底座１１の大穿孔１１５外部に当接被覆し、並びに二つの位置制限凸棒１１７間に停留し（制限を受け）、これにより、該被押圧斜壁１４１１が該底座１１の外側に停留し、且つ接合ロッド１４１２が下向きに該大穿孔１１５に進入し、その後、該中間作動ブロック１４２及び該内定位ブロック１４３が順に該底座１１内部に置かれ、該接合ロッド１４１２が順に該中間作動ブロック１４２の穿孔１４２２（或いは１４２４）及び該内定位ブロック１４３の接合孔１４３１に通され、且つ該中間作動ブロック１４２のロッド体部は該内定位ブロック１４３の二側の位置制限凸棒１４３２間に位置し得て、その後、さらに該接合部材１４４（たとえばボルト）で該接合ロッド１４１２と螺着され、該外プッシュブロック１４１、該中間作動ブロック１４２及び該内定位ブロック１４３の三者が該底座１１と組み合わされる。その後、該上蓋１０と該底座１１の両者が後で結合される時、該プッシュ装置１４の中間作動ブロック１４２の外に拡張した二側の駆動壁１４２１は、各嵌合装置１３のそのうち一つの被押圧壁１３３に対応し当接し、且つ駆動壁１４２１はその対応し被覆する被押圧壁１３３の外部に位置する。これにより、該外プッシュブロック１４１が押されて、該接合ロッド１４１２を介して該内定位ブロック１４３が駆動されて移動し、該接合ロッド１４１２が中間作動ブロック１４２のロック位置穿孔１４２４内に停留する時、該内定位ブロック１４３の二側のストッパブロック１４３３がちょうど各嵌合装置１３のストッパブロック１３４に対応し、各嵌合装置１３を内縮不能とし、またすなわち、この状態の時、各弾性部材１３１の推力は、対応する嵌合装置１３を押して最も外側の位置に位置させ、各嵌合装置１３の上層嵌着面１３７及び下層嵌着面１３８がいずれも上蓋１０と底座１１円周の範囲外に突出させられる。その後、反対方向に該外プッシュブロックが押されると、該接合ロッド１４１２を介して該内定位ブロック１４３が逆方向に移動させられ、該接合ロッド１４１２が位置制限ブロック１４２３を超過して、該中間作動ブロック１４２の釈放位置穿孔１４２２内に進入し停留する時、該内定位ブロック１４３二側のストッパブロック１４３３はちょうど駆動されて各嵌合装置１３のストッパブロック１３４に未対応の位置に至る。この状態の時、各嵌合装置１３はすなわち、外部（すなわち、ガイド斜面１３７１、１３８１部分）より力を受けて、各弾性部材１３１の弾力に抵抗し内縮する。
【００２０】
該解除ボタン１５の外部はプッシュ面１５１とされ、内部は斜面１５２を有し、組み立て時には、該上蓋１０の収納スロット１０４内の外側よりの位置に置かれ、且つプッシュ面１５１は収納スロット１０４の外面に停留するが、ただし、上蓋１０と底座１１の外径の範囲内にある（図１、２に示されるとおり）。該ロック嵌合部１６は、該解除ボタン１５の斜面１５２と対応し当接する斜面１６２及び上向きに突伸するロック棒１６３を具え、底面に、内向きに進入する収容孔１６４を具え、組み立て時に、該上蓋１０の収納スロット１０４内の、内側寄りの位置に置かれ、並びに斜面１６２が解除ボタン１５の斜面１５２と対応し当接させられ、及びロック棒１６３が上蓋１０のロック棒孔１０７に対応させられ、該収容孔１６４が該弾性部材１６１の収容に供される。その後、上蓋１０と底座１１が結合される時、該弾性部材１６１の底端が底座１１の内壁に押圧されることで、強制的に全体のロック嵌合部１６が上向きに移動する力を持ち（付勢）、これにより、ロック棒１６３が上向きに上蓋１０のロック棒孔１０７外に突出する（図１に示されるとおり）。その後、手指或いは工具で該プッシュ面１５１が押圧される時、強制的に全体の解除ボタン１５が収容スロット１０４に沿って内向きに径方向に移動し、その過程中に、該解除ボタン１５の斜面１５２は、分力により該ロック嵌合部１６の斜面１６２を押動して全体のロック嵌合部１６を駆動し該弾性部材１６１を圧縮して下降し、これによりロック棒１６３を下向きに上蓋１０のロック棒孔１０７内に縮入させる。その後、該プッシュ面１５１の力が消去する（離れる）時、該弾性部材１６１の回復弾力作用により、強制的に全体のロック嵌合部１６が上向きに移動し、ロック棒１６３が再度上向きに上蓋１０のロック棒孔１０７外に突出させられ、並びに斜面１６２により斜面１５２を押動して全体の解除ボタン１５を駆動して収容スロット１０４に沿って径方向に外向きに移動させ、図１に示される状態を回復する。
【００２１】
上述の構成関係に基づき、該引掛部材１２、ビス１２１、嵌合装置１３、弾性部材１３１、解除ボタン１５、ロック嵌合部１６及び弾性部材１６１が該上蓋１０内の各所定位置部分に取り付けられ、並びに該プッシュ装置１４が該底座１１の大穿孔１１５外部及び内部に取り付けられると、すなわち上蓋１０と底座１１が突き合わされて組み合わされ、上述の部品がすべて上蓋１０と底座１１内に収容される。この過程中、該上蓋１０の周縁の定位突出ブロック１０１０は該底座１１周縁の定位凹孔１１９内に挿入され、こうして定位し、且つ上蓋１０の挿入スロット１０３と底座１１の挿入スロット１１３が併合されて共同で嵌合装置１３を被包し、及び上蓋１０の収納スロット１０４と底座１１の収納スロットが共同で解除ボタン１５を被包し、同時に各嵌合装置１３の位置制限溝１３６が各Ｈ形プッシュブロック１０８の中間の位置制限ブロック１０９に嵌合し、これにより嵌合装置１３の進退移動方向と行程が該位置制限ブロック１０９に制限される。最後にボルト１１１が底座１１の外部より上向きに、底座１１及び上蓋１０の対応する一組の螺着用の穿孔に通され、さらに上蓋１０の上面のナット１０１と接合され、及びビス１１２が同様に、底座１１外部より上向きに、底座１１に設けられたもう一組の螺着用の穿孔に通され、さらに上蓋１０内部に設けられた接合孔に螺着される。該ボルト１１１とナット１０１の作用は、上蓋１０と底座１１の組み合わせを締結するほか、分解時に該ナット１０１を回して調整して完全にボルト１１１を離脱させなくても、底座１１と上蓋１０の分離時の脱落を制限し、電気的接続に便利とすることである。該ビス１１２は上蓋１０と底座１１をしっかりと螺子止めし組み合わせる。引掛シーリングローゼット１の全体の組み合わせが完成した後は、図１、２に示されるとおりである。
【００２２】
引掛シーリングローゼット１を使用する際は、高所の固定位置に先に取り付ける必要があり、上蓋１０に突出する引掛部材１２の湾曲鈎部１２３を対応する建築物上に予設した配線の取付孔内の回転スロットに照準を合わせて回転挿入させて嵌着を完成させる。該過程において、ロック嵌合部１６のロック棒１６３が圧力を受けると下方向に移動して上蓋１０のロック棒孔１０７内に収縮し、その後引掛部材１２の嵌着が完了した後は、ロック棒１６３は正面を向いて取付孔内の一定位孔に進入する。この時、引掛シーリングローゼット１全体を逆回転させて取付孔から離脱させたい場合、該動作はロック棒孔１０７が定位孔内を圧する状態を受けて阻止されるため、随意に引掛シーリングローゼット１全体を逆回転させて取付孔から取り外せない安全性、安定性を備える。引掛シーリングローゼット１を逆回転させて取付孔から取り外す際には、先ずプッシュ面１５１を押圧して解除ボタン１５を内側方向に移動させなければならず、こうすることで従動されるロック嵌合部１６は弾性部材１６１を圧縮して下降し、ロック棒１６３は下方向に移動して上蓋１０のロック棒孔１０７内に収縮するため、この時、引掛シーリングローゼット１を逆回転させて取付孔からスムーズに取り外すことができる。
【００２３】
引掛シーリングローゼット１の高所の固定位置への取り付けを完了した後、続いて、吊り下げ式照明器具と引掛シーリングローゼット１を結合させる取付ステップに入る。実行前にはまず該外プッシュブロック１４１を押圧して、該接合ロッド１４１２を介して該内定位ブロック１４３を駆動して移動させ、該接合ロッド１４１２を該中間作動ブロック１４２の釈放位置穿孔１４２２内に停留する状態とし、これにより該内定位ブロック１４３の二側のストッパブロック１４３３を各嵌合装置１３のストッパブロック１３４と未対応の位置まで移動させ、その後、該吊り下げ式照明器具を引掛シーリングローゼット１の下方より上向きに底座１１に接近させて、吊り下げ式照明器具の中央円孔（即ち取付孔）を各嵌合装置１３の下層ガイド斜面１３８１に圧せられるまで押す。取付者は上方向に力を加える動作を行い、上向きのプッシュ力が下層ガイド斜面１３８１に対して分力作用を起こし、各嵌合装置１３に弾性部材１３１を圧縮させ内側に移動させる。これにより、吊り下げ式照明器具は下層ガイド斜面１３８１が徐々に内側に収縮することで上に移動し、瞬時に下層ガイド斜面１３８１と下層嵌着面１３８の交差する外側縁を通過して下層嵌着面１３８上方に至る。続いて、下層ガイド斜面１３８１が瞬間にしてプッシュ力作用を受けなくなるため、各嵌合装置１３は弾性部材１３１の弾力回復作用により外側方向に位置を戻す。取付者は吊り下げ式照明器具を下層嵌着面１３８上に取り付けることを選択するなら、予定していた比較的低い位置での取り付けが完了する。
【００２４】
取付者が吊り下げ式照明器具を上層嵌着面１３７に取り付けることを選択するなら、吊り下げ式照明器具を続けて上方向に移動し上層ガイド斜面１３７１を圧する必要がある。これにより、上層ガイド斜面１３７１に対して分力作用を起こし、嵌合装置１３は弾性部材１３１を圧縮して内側に移動する。吊り下げ式照明器具は上層ガイド斜面１３７１が徐々に内側に収縮することで上に移動し、瞬時に上層ガイド斜面１３７１と上層嵌着面１３７の交差する外側縁を通過して上層嵌着面１３７上方に至る。続いて、上層ガイド斜面１３７１が瞬間にしてプッシュ力作用を受けなくなるため、嵌合装置１３は弾性部材１３１の弾力回復作用により外側方向に位置を戻す。このようにして吊り下げ式照明器具の上層嵌着面１３７上への取り付け作業が終わり、予定していた比較的高い位置での取り付けが完了する。
【００２５】
吊り下げ式照明器具の下層嵌着面１３８への取り付けを選択するか、或いは上層嵌着面１３７への取り付けを選択するかに関わらず、取り付け動作完成の後は、いずれもさらに該外プッシュブロック１４１を押圧し、該接合ロッド１４１２を介して該内定位ブロック１４３を駆動して該接合ロッド１４１２が該中間作動ブロック１４２のロック位置穿孔１４２４内に停留する状態まで移動させて、該内定位ブロック１４３の二側のストッパブロック１４３３に再度各嵌合装置１３のストッパブロック１３４をブロックさせ、これにより、各嵌合装置１３を縮入不能とすることで、吊り下げ式照明器具が脱落しないようにして安全性を確保する必要がある。
【００２６】
吊り下げ式照明器具の取り付けが比較的低い位置であるか比較的高い位置であるかに拘わらず、吊り下げ式照明器具を引掛シーリングローゼット１から取り外す時はまず、底座１１の外部から該外プッシュブロック１４１を押圧することで、該接合ロッド１４１２を介して該内定位ブロック１４３を移動させなければならない。このとき、該接合ロッド１４１２を該中間作動ブロック１４２の釈放位置穿孔１４２２に到達させなければならないほか、該外プッシュブロック１４１を押動して、該接合ロッド１４１２を介して該内定位ブロック１４３及び該中間作動ブロック１４２を同時に移動させなければならず、この過程中、該中間作動ブロック１４２の二側の斜めの駆動壁１４２１は、分力で、対応し被覆している被押圧壁１３３を押動して嵌合装置１３に弾性部材１３１を圧縮させて内に移動させ、上層嵌着面１３７及び下層嵌着面１３８に部分的に上蓋１０と底座１１の円周範囲内に収縮する状況を発生させる。このとき、吊り下げ式照明器具は若干の障害もなく下方向に移動可能となり引掛シーリングローゼット１を離脱する。
【００２７】
作業完成後には、逆方向に該外プッシュブロック１４１を押動して、該接合ロッド１４１２を介して該内定位ブロック１４３及び該中間作動ブロック１４２を駆動し同時に逆方向にもとの位置に回復させ、並びに、さらに該接合ロッド１４１２を該中間作動ブロック１４２のロック位置穿孔１４２４内に移動させるか否かを選択する（二側のストッパブロック１４３３に嵌合装置１３の内縮をブロックさせる）か、或いは、該接合ロッド１４１２を該中間作動ブロック１４２の釈放位置穿孔１４２２内に停留させて、次の吊り下げ式照明器具の取り付け作業に待機する。
【００２８】
上述の第１実施例の引掛シーリングローゼット１は、嵌合装置１３外部に一組の２層の上層嵌着面１３７と下層嵌着面１３８を形成し、何れかを選択させるものであるため、二層嵌着のプッシュ式引掛シーリングローゼットであるが、同様の構造及び作用原理のもと、一層嵌着のプッシュ式引掛シーリングローゼットも製造可能である。これは図９及び図１０に示すとおりである。本考案の第二実施例の引掛シーリングローゼット２は、一層嵌着のプッシュ式引掛シーリングローゼットであり、その構造は前述とあまり変わらず（内部構造はいずれも同じ）、ゆえにその内部構造について重複した説明は行わない。第１実施例と異なるところは、外観上、嵌合装置２３の外部に一層の嵌着面２３７と一層のガイド斜面２３７１を形成する点であるが、これにより吊り下げ式照明器具を引掛シーリングローゼット２に取り付ける際は高さ調節が不可能となる。
【００２９】
以上の説明から理解されるとおり、本考案は新規のプッシュ式引掛シーリングローゼットを提供し、それは主に吊り下げ式照明器具を非常に便利に嵌合装置と接合及び分離して取り外すことができ、且つ使用上、安全性と安定性に全く心配がない。
【００３０】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３１】
１  引掛シーリングローゼット
１０  上蓋
１０１  ナット
１０２  ストッパ板
１０２１  定位突出エッジ
１０３  挿入スロット
１０４  収納スロット
１０５  螺着孔
１０６  穿孔
１０７  ロック棒孔
１０８  Ｈ形プッシュブロック
１０９  位置制限ブロック
１０１０  定位突出ブロック
１１  底座
１１１  ボルト
１１２  ビス
１１３  挿入スロット
１１４  収納スロット
１１５  大穿孔
１１７  位置制限凸棒
１１９  定位凹孔
１２  引掛部材
１２１  ビス
１２２  穿孔
１２３  湾曲鉤部
１３  嵌合装置
１３１  弾性部材
１３２  内腔
１３２１  定位突出エッジ
１３３  被押圧壁
１３４  ストッパブロック
１３６  位置制限溝
１３７  上層嵌着面
１３８  下層嵌着面
１３７１  上層ガイド斜面
１３８１  下層ガイド斜面
１４  プッシュ装置
１４１  外プッシュブロック
１４１１  被押圧斜壁
１４１２  接合ロッド
１４２  中間作動ブロック
１４２１  駆動壁
１４２２  釈放位置穿孔
１４２３  位置制限ブロック
１４２４  ロック位置穿孔
１４３  内定位ブロック
１４３１  接合孔
１４３２  位置制限凸棒
１４３３  ストッパブロック
１４４  接合部材
１５  解除ボタン
１５１  プッシュ面
１５２  斜面
１６  ロック嵌合部
１６１  弾性部材
１６２  斜面
１６３  ロック棒
１６４  収容孔
２  引掛シーリングローゼット
２０  上蓋
２１  底座
２３  嵌合装置
２３７  嵌着面
２４  ボタン
２３７１  ガイド斜面
【図１】
0003186810.tif 000003
【図２】
0003186810.tif 000004
【図３】
0003186810.tif 000005
【図４】
0003186810.tif 000006
【図５】
0003186810.tif 000007
【図６】
0003186810.tif 000008
【図７】
0003186810.tif 000009
【図８】
0003186810.tif 000010
【図９】
0003186810.tif 000011
【図１０】
0003186810.tif 000012